(57)【要約】【課題】本発明は簡単な構造で、２．０ｍｍ以下のコネクタの低背化ができ、安全性にも優れた構造のカードコネクタを提供する。【解決手段】本目的はメモリカード６０が着脱自在に挿抜されるカードコネクタ１０であって、メモリカード６０の接続部と接触するコンタクト１４と、コンタクト１４が配列・保持されるハウジング１２とを備えるカードコネクタ１０において、ハウジング１２の幅方向両側に突出するように金属製のメタルプレート１６を装着し、メタルプレート１６には一体に基板へ接続する接続部１６３を設け、複数のメーリカード６０を装着する金属製のトレイ１８を設けるとともにトレイ１８の幅方向両側の一方端側を略Ｌ字形状に折り曲げ、この折り曲げた部分２６をメタルプレート１６上に摺動可能に係合させることにより達成できる。【選択図】  図１
2008004523.tif 000002
【特許請求の範囲】
【請求項１】
メモリカードが着脱自在に挿抜されるカードコネクタであって、メモリカードの接続部と接触するコンタクトと、該コンタクトが配列・保持されるハウジングとを備えるカードコネクタにおいて、
前記ハウジングの幅方向両側に突出するように金属製のメタルプレートを装着し、該メタルプレートには一体に基板へ接続する接続部を設け、複数のメーリカードを装着する金属製のトレイを設けるとともに前記トレイの幅方向両側の一方端側を略Ｌ字形状に折り曲げ、この折り曲げた部分を前記メタルプレート上に摺動可能に係合させることを特徴とするカードコネクタ。
【請求項２】
メモリカードが着脱自在に挿抜されるカードコネクタであって、メモリカードの接続部と接触するコンタクトと、該コンタクトが配列・保持されるハウジングとを備えるカードコネクタにおいて、
前記ハウジングの幅方向両側に突出する突出部を設け、１枚のメーリカードを装着する金属製のトレイを設けるとともに前記トレイの幅方向両側の一方端側を略Ｌ字形状に折り曲げ、この折り曲げた部分を前記突出部上に摺動可能に係合させることを特徴とするカードコネクタ。
【請求項３】
前記ハウジングの突出部を、別部品の金属製のメタルプレートにするとともに前記メタルプレートと一体に基板へ接続する接続部を設けることを特徴とする請求項２記載のカードコネクタ。
【請求項４】
前記トレイには、他方端側で、かつ、幅方向一方側に樹脂製のボタンを取り付けることを特徴とする請求項１、２または３記載のカードコネクタ。
【請求項５】
前記メタルプレート若しくは前記突出部の前記トレイ挿入側で、かつ、幅方向両側に突出する突起を設け、前記トレイの側面部に前記突起が摺動可能に係合できる係止溝を設けることを特徴とする請求項１、２または３記載のカードコネクタ。
【請求項６】
前記コンタクトと前記メタルプレートとを一体成型により形成したハウジングＡｓｓｙを用いることを特徴とする請求項１または３記載のカードコネクタ。
【請求項７】
前記トレイの幅方向両側の前記側面部の自由端に折り返し部を設けることを特徴とする請求項１から６項のうちいずれか１項記載のカードコネクタ。
【請求項８】
前記ハウジングＡｓｓｙの製造方法において、
第一工程として、前記コンタクトと前記メタルプレートを一体の所定形状にプレス加工したＳｕｂＡｓｓｙを形成し、
第二工程として、第一工程のＳｕｂＡｓｓｙ品をモールド金型にセットした後に一体成型し、
第三工程として、第二工程の一体成型品の前記コンタクトと前記メタルプレートとの連結部分を切断する切断加工をし、
第一から第三工程を順次行なうことを特徴とするハウジングＳｕｂＡｓｓｙの製造方法。
【発明の詳細な説明】
【技術分野】
【０００１】
この発明は、携帯電話・ＰＤＡやプリンター・カードリーダーなどの各種電子・電気機器に使用され、メモリカードを挿入してメモリカードと信号入出力可能なカードコネクタに関するもので、特にカードコネクタの低背化を図り、安全な操作性を高める構造に関するものである。
【背景技術】
【０００２】
近年、デジタルカメラ等の普及に伴って記憶容量が大きく且つコンパクトな形状からなるメモリカードが用いられるようになった。メモリカードも、メモリカードを利用する機器の特性等によって、例えばＳＤ（Secure Digital memory card、登録商標）カード（以下単にＳＤカードという。）、メモリースティック（登録商標）カード（以下単にＭＳカードという。）、スマートメディア（登録商標）カード（以下単にＳＭカードという。）、コンパクトフラッシュ（登録商標）カード（以下単にＣＦカードという。）、ｘＤカード（登録商標）（以下単にｘＤカードという。）、マルチメディア（登録商標）カード（以下単にＭＭカード）やＳＩＭカード（登録商標）（Ｓｕｂｓｃｒｉｂｅｒ  Ｉｄｅｎｔｉｔｙ  Ｍｏｄｕｌｅ）等種々のものが用いられるようになった。これに伴い、これら種々のメモリカードへ書込み／読込みを行う装置として、メモリカードリーダライタが、コンピュータ本体内に、或は、外部機器として用いられている。
【０００３】
従来、前記メモリカードと機器とを接続するためには、カードコネクタが使用されることが一般的である。
特許文献１としてプッシュープッシュタイプの特開２００３−４５５６２と、特許文献２及び特許文献３としてトレイを用いた特願２００５−１２３２５２（特許文献２）と特願２００６−１１５１６５（特許文献３）とを示す。
【特許文献１】特開２００３−４５５６２の要約によると、IＣカードが着脱自在に挿入されるＩＣカードの挿脱装置を提供することを目的とし、電子機器に組み込まれるＩＣカードの挿脱装置であって、ハウジンク１００とこれに被せられるカバー２００を有し、ハウジンク１００は、概略コ字型のフレーム部分１１０とこの一面側を塞ぐ底面１２０からなり、フレーム部分１１０の対向する両長手方向フレーム部１１１ａ，１１１ｂの内側には、ガイド溝１１３を設けると共に、底フレーム部１１１ｃには、ＩＣカード用のコンタクト１３０を配列し、かつ、両長手方向フレーム部の一方には、ＩＣカード用のロック及びエジェクト機構３００を組み込んでなるＩＣカードの挿脱装置にあり、これによって、使用部品の小型化、簡素化を図り、また、ＩＣカードにあっても、安定して保持される優れた挿脱装置が開示されている。  ちなみに、特許請求の範囲には、請求項１として、電子機器に組み込まれるＩＣカードの挿脱装置であって、ハウジンクとこれに被せられるカバーを有し、前記ハウジンクは概略コ字型のフレーム部分とその補強用の底面からなり、前記フレーム部分の対向する両長手方向フレーム部の内側には、ＩＣカード用のガイド溝を設け、前記両長手方向フレーム部に直交する底フレーム部にはＩＣカード用のコンタクトを配列し、かつ、前記両長手方向フレーム部の少なくとも一方には、ＩＣカードの挿脱によりＩＣカードと同方向に進退移動するスライダと、このスライダを常時前記ＩＣカード用のガイド溝のカード挿入口側に附勢する附勢手段と、前記スライダに設けた概略ハート形状のカム溝と、このカム溝にその遊端が係合されると共に、その他端が前記底フレーム部側に固定される揺動自在のバネピンとを備えたＩＣカード用のロック及びエジェクト機構を組み込んでなることを特徴とするＩＣカードの挿脱装置が、請求項２として、前記スライダには、ＩＣカードのコーナー傾斜部が当接する斜面部が設けてあることを特徴とする請求項１記載のＩＣカードの挿脱装置が、請求項３として、前記スライダを、前記長手方向フレーム部に設けたガイドロッド部に摺動させることを特徴とする請求項１又は２記載のＩＣカードの挿脱装置が、請求項４として、前記ＩＣカード用のロック及びエジェクト機構の組み込まれていない長手方向フレーム部に、そのＩＣカード用のガイド溝に弾性的に突出してＩＣカードの側面を押圧する弾性押圧片を有するバネ金具を組み込んだことを特徴とする請求項１、２又は３記載のＩＣカードの挿脱装置が、請求項５として、前記カバーの一部に、ＩＣカードの表面を押圧する弾性押圧片を設けたことを特徴とする請求項１、２、３又は４記載のＩＣカードの挿脱装置が記載されている。
【特許文献２】特願２００５−１２３２５２の要約によると、簡単な構造で、コネクタの低背化が可能なカードコネクタ１０を提供することを目的とし、少なくとも２枚以上のカード６０と接続するカードコネクタ１０において、カード６０数に対応するコンタクト１４と、少なくとも２枚以上のカード６０が設置可能なトレイ１６と、トレイ１６が入る１つの嵌合口２０を有するとともに前記コンタクト１４が保持・配列されるハウジング１２とを備えることにより達成でき、４枚のカード６０と接続するカードコネクタ１０においては４種類のコンタクト１４と、４枚のカード６０が設置可能なカード装着部２２を有するトレイ１６と、トレイ１６が入る１つの嵌合口２０を有するとともに４種類のコンタクト１４が保持・配列されるハウジング１２とを備える構造のカードコネクタが開示されている。  ちなみに、特許請求の範囲には、請求項１として、少なくとも２枚以上のカードと接続するカードコネクタにおいて、前記カード数に対応するコンタクトと、少なくとも２枚以上のカードが設置可能なトレイと、該トレイが入る１つの嵌合口を有するとともに前記コンタクトが保持・配列されるハウジングとを備えるカードコネクタが、請求項２として、４枚のカードと接続するカードコネクタにおいて、４種類のコンタクトと、４枚のカードが設置可能なカード装着部を有するトレイと、該トレイが入る１つの嵌合口を有するとともに４種類の前記コンタクトが保持・配列されるハウジングとを備えるカードコネクタが、請求項３として、前記トレイには１枚のカードしか設置できないように各カードの一部がラップするような位置関係にカード装着部を設けることを特徴とする請求項１又は２記載のカードコネクタが、請求項４として、前記トレイには少なくとも２枚以上のカードがラップしないように設置可能な位置関係にカード装着部を設けるとともに使用するカードを認識する機構を設けることを特徴とする請求項１又は２記載のカードコネクタが、請求項５として、前記ハウジングの嵌合口側に、前記トレイの飛び出しを防止するストッパー手段を設けることを特徴とする請求項１、２又は３、４記載のカードコネクタが、請求項６として、前記トレイが装着された状態で、前記トレイを押すことで前記トレイがある程度抜去できる機構を有することを特徴とする請求項１から５項のうちいずれか１項記載のカードコネクタ等が記載されている。
【特許文献３】特願２００６−１１５１６５の要約によると、簡単な構造で、コネクタの軽薄短小化ができ、メモリカードを容易に取り出せる構造のカードコネクタを提供することを目的とし、メモリカード６０が着脱自在に挿抜されるカードコネクタ１０であって、メモリカード６０の接続部と接触するコンタクト１４と、メモリカード６０が挿入される挿入口２２を有するとともにコンタクト１４が配列・保持されるハウジング１２とを備えるカードコネクタ１０において、ハウジング１２は２つの側壁２４と奥壁２６とこれらの側壁２４と奥壁２６と連設する下壁２８とを有するとともに２つの側壁２４と奥壁２６と下壁２８とによりメモリカード６０の挿入口２２を形成し、下壁２８の反対側にはシェル１６を配置し、下壁２８にトレイ抑え板２０により摺動可能に弾性変形するトレイ１８を配置する構造のカードコネクタ１０が開示されている。  ちなみに、特許請求の範囲には、請求項１として、メモリカードが着脱自在に挿抜されるカードコネクタであって、メモリカードの接続部と接触するコンタクトと、メモリカードが挿入される挿入口を有するとともに前記コンタクトが配列・保持されるハウジングとを備えるカードコネクタにおいて、前記ハウジングは２つの側壁と奥壁とこれらの側壁と奥壁と連設する下壁とを有するとともに２つの側壁と奥壁と下壁とにより前記メモリカードの挿入口を形成し、前記下壁の反対側にはシェルを配置し、前記下壁にトレイ抑え板により摺動可能に弾性変形するトレイを配置するカードネクタが、請求項２として、前記トレイを弾性を有する金属により板状に形成し、一方の自由端側に前記メモリカード装着時に前記下壁端面より突出した操作部を有し、該操作部を引くことで前記トレイが摺動することを特徴とする請求項１記載のカードコネクタが、請求項３として、前記トレイには前記メモリカードの誤嵌合防止手段と位置決め手段とを備えることを特徴とする請求項１または２記載のカードコネクタが、請求項４として、前記トレイを板状片にすることで、前記トレイを引き抜いた際に前記メモリカードの下面部分に空間部を設けることを特徴とする請求項１から３項のうちいずれか１項記載のカードコネクタが開示されている。
【発明の開示】
【発明が解決しようとする課題】
【０００４】
近年、機器の小型化が進む中、コネクタの小型化要求もより一層強くなってきており、２．０ｍｍ以下の低背化の要求が出てきている。コネクタが軽薄短小化すると、前記メモリカードの出し入れが難しくなる。このような状況の中、上述した特許文献１〜特許文献３のような構造では、部品点数や部品の厚さや構造の問題から２．０ｍｍ以下の低背化を実現することが出来なかった。また、世の中の趨勢として、操作性の安全性やメモリカードの誤嵌合を防止したいという要求も強くなってきている。
【０００５】
本発明は、このような従来の問題点に鑑みてなされたもので、簡単な構造で、２．０ｍｍ以下のコネクタの低背化ができ、安全性にも優れた構造のカードコネクタを提供せんとするものである。
【課題を解決するための手段】
【０００６】
本目的は、メモリカード６０が着脱自在に挿抜されるカードコネクタ１０であって、メモリカード６０の接続部と接触するコンタクト１４と、該コンタクト１４が配列・保持されるハウジング１２とを備えるカードコネクタ１０において、前記ハウジング１２の幅方向両側に突出するように金属製のメタルプレート１６を装着し、該メタルプレート１６には一体に基板へ接続する接続部１６３を設け、複数のメーリカード６０を装着する金属製のトレイ１８を設けるとともに前記トレイ１８の幅方向両側の一方端側を略Ｌ字形状に折り曲げ、この折り曲げた部分２６を前記メタルプレート１６上に摺動可能に係合させることにより達成できる。
【０００７】
１枚のメモリカードの場合には、メモリカード６０が着脱自在に挿抜されるカードコネクタ１０であって、メモリカード６０の接続部と接触するコンタクト１４と、該コンタクト１４が配列・保持されるハウジング１２とを備えるカードコネクタ１０において、前記ハウジング１２の幅方向両側に突出する突出部２４を設け、１枚のメーリカード６０を装着する金属製のトレイ１８を設けるとともに前記トレイ１８の幅方向両側の一方端側を略Ｌ字形状に折り曲げ、この折り曲げた部分２６を前記突出部２４上に摺動可能に係合させることにより達成できる。
【０００８】
請求項３記載のカードコネクタ１０は、前記ハウジング１２の突出部２４を、別部品の金属製のメタルプレート１６にするとともに前記メタルプレート１６と一体に基板へ接続する接続部１６３を設ける。
また、請求項４記載のカードコネクタ１０は、前記トレイ１８には、他方端側で、かつ、幅方向一方側に樹脂製のボタン２２を取り付ける。
請求項５記載のカードコネクタ１０は、前記メタルプレート１６若しくは前記突出部２４の前記トレイ挿入側で、かつ、幅方向両側に突出する突起３０を設け、前記トレイ１８の側面部３４に前記突起３０が摺動可能に係合できる係止溝２８を設ける。
さらに、請求項６記載のカードコネクタ１０は、前記コンタクト１４と前記メタルプレート１６とを一体成型により形成したハウジングＡｓｓｙ２０を用いる。
請求項７記載のカードコネクタ１０は、前記トレイ１８の幅方向両側の前記側面部３４の自由端にを折り返し部３８を設ける。  
【０００９】
前記ハウジングＡｓｓｙ２０の製造方法としては、第一工程として、前記コンタクト１４と前記メタルプレート１６を一体の所定形状にプレス加工したＳｕｂＡｓｓｙ２１を形成し、第二工程として、第一工程のＳｕｂＡｓｓｙ品２１をモールド金型にセットした後に一体成型し、第三工程として、第二工程の一体成型品の前記コンタクト１４と前記メタルプレート１６との連結部分を切断する切断加工をし、第一から第三工程を順次行なう。
【発明の効果】
【００１０】
以上の説明から明らかなように、本発明のカードコネクタ１０及びハウジングＳｕｂＡｓｓｙ２０の製造方法によると、次のような優れた顕著な効果が得られる。
（１）メモリカード６０が着脱自在に挿抜されるカードコネクタ１０であって、メモリカード６０の接続部と接触するコンタクト１４と、該コンタクト１４が配列・保持されるハウジング１２とを備えるカードコネクタ１０において、前記ハウジング１２の幅方向両側に突出するように金属製のメタルプレート１６を装着し、該メタルプレート１６には一体に基板へ接続する接続部１６３を設け、複数のメーリカード６０を装着する金属製のトレイ１８を設けるとともに前記トレイ１８の幅方向両側の一方端側を略Ｌ字形状に折り曲げ、この折り曲げた部分２６を前記メタルプレート１６上に摺動可能に係合させているので、２．０ｍｍ以下の低背化が可能で、かつ、カードを挿入するだけでシールド及び静電気対策も容易に行なえる。
（２）１枚のメモリカードの場合には、メモリカード６０が着脱自在に挿抜されるカードコネクタ１０であって、メモリカード６０の接続部と接触するコンタクト１４と、該コンタクト１４が配列・保持されるハウジング１２とを備えるカードコネクタ１０において、前記ハウジング１２の幅方向両側に突出する突出部２４を設け、１枚のメーリカード６０を装着する金属製のトレイ１８を設けるとともに前記トレイ１８の幅方向両側の一方端側を略Ｌ字形状に折り曲げ、この折り曲げた部分２６を前記突出部２４上に摺動可能に係合させているので、２．０ｍｍ以下の低背化が可能になる。
（３）請求項３記載のカードコネクタ１０は、前記ハウジング１２の突出部２４を、別部品の金属製のメタルプレート１６にするとともに前記メタルプレート１６と一体に基板へ接続する接続部１６３を設けているので、２．０ｍｍ以下の低背化が可能で、かつ、カードを挿入するだけでシールド及び静電気対策も容易に行なえる。
（４）請求項４記載のカードコネクタ１０は、前記トレイ１８には、他方端側で、かつ、幅方向一方側に樹脂製のボタン２２を取り付けているので、前記トレイ１８の取扱いが安全に行える。
（５）請求項５記載のカードコネクタ１０は、前記メタルプレート１６若しくは前記突出部２４の前記トレイ挿入側で、かつ、幅方向両側に突出する突起３０を設け、前記トレイ１８の側面部３４に前記突起３０が摺動可能に係合できる係止溝２８を設けているので、摺動時のガイドにもなり、安定して摺動でき、かつ、前記トレイ１８の移動量を制限できる。
（６）請求項６記載のカードコネクタ１０は、前記コンタクト１４と前記メタルプレート１６とを一体成型により形成したハウジングＡｓｓｙ２０を用いているので、２．０ｍｍ以下の低背化が可能になる。
（７）請求項７記載のカードコネクタ１０は、前記トレイ１８の幅方向両側の前記側面部３４の自由端に折り返し部３８を設けているので、手で金属製の前記トレイ１８に触れても手を怪我することがない。
（８）前記ハウジングＡｓｓｙ２０の製造方法としては、第一工程として、前記コンタクト１４と前記メタルプレート１６を一体の所定形状にプレス加工したＳｕｂＡｓｓｙ２１に形成し、第二工程として、第一工程のＳｕｂＡｓｓｙ品２１をモールド金型にセットした後に一体成型し、第三工程として、第二工程の一体成型品の前記コンタクト１４と前記メタルプレート１６との連結部分を切断する切断加工をし、第一から第三工程を順次行なっているので、簡単な方法で前記ハウジングＡｓｓｙ２０を製造でき、かつ、２．０ｍｍ以下の低背化にも繋がる。
【発明を実施するための最良の形態】
【００１１】
図１から図６に基づいて、本発明のカードコネクタの一実施例について説明する。図１（Ａ）は嵌合方向からみたトレイが引き出された状態のカードコネクタの斜視図であり、（Ｂ）は嵌合方向からみたトレイが挿入された状態のカードコネクタの斜視図である。図２（Ａ）は嵌合方向からみたカードが装着され、トレイが引き出された状態のカードコネクタの斜視図であり、（Ｂ）は嵌合方向からみたカードが装着さら、トレイが挿入された状態のカードコネクタの斜視図である。図３はトレイの斜視図であり、図４はボタンの斜視図であり、図５はコンタクトとメタルプレートが一体に保持されたハウジングの斜視図である。図６（Ａ）はコンタクトとメタルプレートが一体の状態の斜視図であり、（Ｂ）はコンタクトとメタルプレートが分割した状態の斜視図である。図７（Ａ）はボタンが装着された図３とは別のトレイの斜視図であり、（Ｂ）はＡ部拡大図である。
一実施例の本発明のカードコネクタ１０は、主にハウジングＳｕｂＡｓｓｙ２０（コンタクト１４とメタルプレート１６が一体成型された状態品）とトレイ１８とボタン２２とを備えている。
【００１２】
構成部品を説明する前に、カードについて説明する。前記カードはプリンターやカードリーダ等に使用されるものであって、前記カードには主にコンタクト１４の接触部１４１と接触する接触部と該接触部から回路へ繋がるパターンと該パターン上に搭載されたＩＣやＣＰＵと接続する接続部とを備えている。本発明のカードコネクタ１０に使用されるカードとしては、ＳＩＭカード（登録商標）（Ｓｕｂｓｃｒｉｂｅｒ  Ｉｄｅｎｔｉｔｙ  Ｍｏｄｕｌｅ）、マルチメディアカード（登録商標）、ＳＤカード（Secure  Digital  memory  card、登録商標）、Mini−ＳＤカード（Mini  Secure  Digital  memory  card、登録商標）、メモリースティック（登録商標）、スマートメディア（登録商標）、コンパクトフラッシュ（登録商標）、ｘDカード（登録商標）、RS−MMCカード（Reduce Size MMC card、登録商標）、Transflashカード（登録商標）、Sカード（S card、登録商標）、Memory-Stick  Duo（登録商標）などのように、ＣＰＵあるいはメモリー用のＩＣが内臓されたＩＣカードが挙げられる。
本実施例のカードコネクタ１０には、ＳＩＭカード（登録商標）が挿入できる構造になっている。
【００１３】
まず、低背化には欠かすことのできない、ハウジングＡｓｓｙ２０の製造方法について説明する。
前記ハウジングＡｓｓｙ２０の製造方法としては、次の第一から第三工程を順次行なう。
第一工程として、図６（Ａ）のごとく、前記コンタクト１４と前記メタルプレート１６を一体の所定形状にプレス加工し、ＳｕｂＡｓｓｙ２１を形成する。
第二工程として、第一工程のＳｕｂＡｓｓｙ品２１をモールド金型にセットした後に一体成型する。
第三工程として、第二工程の一体成型品の前記コンタクト１４と前記メタルプレート１６との連結部分を切断する切断加工を行なう。絶縁体がない状態では図６（Ｂ）のような状態で、前記コンタクト１４と前記メタルプレート１６とが分離した状態になる。つまり、絶縁体に覆われた状態では、図５のようになり、孔３２の部分で前記コンタクト１４と前記メタルプレート１６とが分離する。
【００１４】
まず、ＳｕｂＡｓｓｙ品２１（前記コンタクト１４と前記メタルプレート１６を一体にしたもの）について説明する。ＳｕｂＡｓｓｙ品２１は金属製であり、公知技術のプレス加工によって製作されている。前記ＳｕｂＡｓｓｙ品２１の材質としては、導電性や寸法安定性や成型性やバネ性などが要求されるので、黄銅やベリリウム銅やリン青銅等を挙げることができる。
【００１５】
図６に基づいて、それぞれの部位であるコンタクト１４とメタルプレート１６について説明する。前記コンタクト１４は、主に、メモリカードの接続部に接触する接触部１４１と基板に接続される接続部１４３とを有している。前記コンタクト１４は、ＳＩＭカード（登録商標）６０に対応するものであり、コンタクト１４の接続部１４３は、基板の回路設計や占有面積やコネクタ１０の大きさ及び設計を考慮して適宜設計している。本実施例では、コンタクト１４の接続部１４３は前記トレイ挿入方向とその反対側の両方に、突出するように設けられ、図１のように表面実装（ＳＭＴ）タイプになっている。
また、コンタクト１４の接触部１４１は、挿入されたメモリカード６０を接触しやすいように湾曲した構造になっている。前記接触部１４１の位置は挿入されるメモリカード６０の接続部の位置を考慮して適宜設計され、湾曲量はメモリカード６０との接触圧を考慮して適宜設計している。
【００１６】
前記メタルプレート１６は、主に、前記ハウジング１２の幅方向両側に突出する突出部２４と基板に接続する接続部１６３とを有している。前記メタルプレート１６はトレイと接触することで、シールドや静電気除去としての機能を有するものであり、前記メタルプレート１６の接続部１６３は、基板の回路設計や占有面積やコネクタ１０の大きさ及び設計を考慮して適宜設計している。本実施例では、前記メタルプレート１６の接続部１６３は前記トレイ挿入方向とその反対側の両方に、突出するように設けられ、図１のように表面実装（ＳＭＴ）タイプになっている。
【００１７】
前記コンタクト１４と前記メタルプレート１６とが一体に形成された状態のものが、ＳｕｂＡｓｓｙ品２１である。本実施例では、６本の前記コンタクト１４と、２つの前記メタルプレート１６とから、前記ＳｕｂＡｓｓｙ品２１はなっている。
本実施例においては、前記突出部２４を前記メタルプレート１６として形成したが、前記突出部２４を前記メタルプレート１６と前記ハウジング１２とで形成しても良いし（場合によっては前記メタルプレート１６を上側にする）、前記突出部２４を前記ハウジング１２のみで形成し、前記メタルプレート１６を用いなくてもよい。
【００１８】
前記突出部２４には、前記トレイ挿入側で、かつ、幅方向両側に突出する突起３０が設けられている。前記突起３０は、前記トレイ１８の側面部３４に設けられた係止溝２８と係合する部分である。このように前記突起３０と前記係止溝２８とを係合させることで、摺動時のガイドにもなり、安定して摺動でき、かつ、前記トレイ１８の移動量を制限できる。また、前記トレイ１８を引き出す際のあおりで前記トレイ１８が外れることも防止できる。前記突起３０の大きさは、前記トレイ１８の強度や摺動性等を考慮して適宜設計している。
【００１９】
次に、前記ハウジングＡｓｓｙ品２０について説明する。前記ハウジングＡｓｓｙ品２０は前記ＳｕｂＡｓｓｙ品２１を金型にセットし、一体成型したもの（つまり、前記コンタクト１４と前記メタルプレート１６とハウジング１２とが一体化したもの）である。絶縁体部分（ハウジング１２）は、電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジングＡｓｓｙ品２０の最終品には、前記コンタクト１４と前記メタルプレート１６とを電気的に分離する孔３２が設けられる。前記孔３２は、前記ハウジングＡｓｓｙ品２０を所定の金型にセットして、孔加工を施すことで前記コンタクト１４と前記メタルプレート１６とを電気的に分離するものである。前記孔３２の位置は、コンタクト１４と前記メタルプレート１６との連結部分である。
【００２０】
次に、本発明のポイントの１つであるトレイ１８について説明する。このトレイ１８は本実施例では金属製であり、公知技術のプレス加工によって製作されている。前記トレイ１８の材質としては、導電性や寸法安定性や成型性やバネ性などが要求されるので、黄銅やベリリウム銅やリン青銅やステンレス鋼等を挙げることができる。
【００２１】
前記トレイ１８の役割は、前記メモリーカードを保持して、前記ハウジングＡｓｓｙ品２０への出し入れを行なうことで、前記メモリーカードの挿抜を行なうものである。前記トレイ１８は断面略Ｕ（コ字）形状をし、前記トレイ挿入方向と反対側で、かつ、幅方向両側に折り曲げられた折り曲げ部分２６が設けられている。前記折り曲げ部分２６は、前記ハウジングＡｓｓｙ品２０の突出部２４に係合・接触し、前記突出部２４上を摺動する部分である。前記折り曲げ部分２６の形状としては、前記突出部２４に接触し、かつ、前記突出部２４上を摺動できればよく、強度や摺動性や導電性や加工性等を考慮して適宜設計している。
【００２２】
前記トレイ１８の側面部３４には、前記突起３０と係合する係止溝２８が設けられている。このように前記突起３０と前記係止溝２８とを係合させることで、摺動時のガイドにもなり、安定して摺動でき、かつ、前記トレイ１８の移動量を制限できる。また、前記トレイ１８を引き出す際のあおりで前記トレイ１８が外れることも防止できる。前記係止溝２８は、前記側面部３４のほぼ全長に亘って設けられている。前記係止溝２８の大きさは、前記トレイ１８の強度や摺動性等を考慮して適宜設計している。
【００２３】
前記トレイ１８は、前記メモリカード６０を装着するものであるために、前記メモリカード６０を囲うように前記側面部３４のような立設部分が設けられている。
また、図７のように、手で金属製の前記トレイ１８に触れても手を怪我することを防ぐために、前記トレイ１８の幅方向両側の前記側面部３４の自由端に折り返し部３８を設けることが望ましい。但し、前記トレイ１８は前記ハウジングＡｓｓｙ２０が摺動するので、摺動に影響がないように折り返す必要がある。前記折り返し部３８の折り返し量は、上記のことを満足できればよく、立設部分の自由端が破断面ではなく、多少なりとも折り返されていればよい。形状及び大きさは、上記のことを満足するように適宜設計している。本実施例では０．０５〜０．１ｍｍ程度折り返している。
【００２４】
ここで、複数のメモリカードが装着されるトレイ１８について説明する。以下では、上述したトレイ１８（１枚が装着されるもの）との相違部分についてのみ説明する。複数のメモリカードを前記トレイ１８に装着するためには、カード間を絶縁物で仕切る必要がある。上述した１枚のメモリカード６０が装着される前記トレイ１８に絶縁物で形成した仕切り部材を圧入や溶着等により固定する必要がある。仕切り部材は、装着するカードの大きさによって適宜設計する。カード間の仕切り部材の厚さは、０．５ｍｍ程度である。
製作上や仕切り部材の強度や管理コストを考えると、下述するボタン２２と合わせて、金属製の前記トレイ１８に一体成型によって形成することが望ましい。
【００２５】
最後に、ボタン２２について説明する。前記ボタン２２は、電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ボタン２２の役割は、前記トレイ１８が金属で出来ているために、前記トレイ１８の取扱時に怪我をしないようにするためのものである。また、前記ボタン２２は、傾斜部３６を設けることで、メモリカード６０の誤嵌合防止も行なうことが可能である。前記ボタン２２を装着する位置及び形状としては、取扱性や誤嵌合防止等を考慮して適宜設計する。本実施例では、前記トレイ１８の他方端側で、かつ、幅方向一方側に装着されている。前記ボタン２２は、前記トレイ１８に圧入や溶着や一体成型等によって固定されている。
【００２６】
本実施例においては、ＳＩＭカード（登録商標）６１が挿入できる構造のカードコネクタ１０を説明した。言うまでもなく、その他のカードについても同様の構造を取ることが可能である。
【産業上の利用可能性】
【００２７】
本発明の活用例としては、携帯電話・ＰＤＡやプリンター・カードリーダーなどの各種電子・電気機器に使用され、メモリカードを挿入してメモリカードと信号入出力可能なカードコネクタに活用され、特にカードコネクタの低背化を図り、安全な操作性を高める構造に関するものである。
【図面の簡単な説明】
【００２８】
【図１】（Ａ）  嵌合方向からみたトレイが引き出された状態のカードコネクタの斜視図である。（Ｂ）  嵌合方向からみたトレイが挿入された状態のカードコネクタの斜視図である。
【図２】（Ａ）  嵌合方向からみたカードが装着され、トレイが引き出された状態のカードコネクタの斜視図である。（Ｂ）  嵌合方向からみたカードが装着さら、トレイが挿入された状態のカードコネクタの斜視図である。
【図３】トレイの斜視図である。
【図４】ボタンの斜視図である。
【図５】コンタクトとメタルプレートが一体に保持されたハウジングＡｓｓｙ品の斜視図である。
【図６】（Ａ）  コンタクトとメタルプレートが一体の状態のＳｕｂＡｓｓｙ品の斜視図である。（Ｂ）  コンタクトとメタルプレートが分割した状態の斜視図である。
【図７】（Ａ）  ボタンが装着された図３とは別のトレイの斜視図である。（Ｂ）  Ａ部拡大図である。
【符号の説明】
【００２９】
１０            カードコネクタ
１２            ハウジング
１４            コンタクト
１４１          接触部
１４３          接続部
１６            メタルプレート
１６３          接続部
１８            トレイ
２０            ハウジングＡｓｓｙ（ＳｕｂＡｓｓｙの一体成型品）
２１            ＳｕｂＡｓｓｙ（コンタクトとメタルプレート一体品）
２２            ボタン
２４            突出部
２６            折り曲げ部分
２８            係止溝
３０            突起
３２            孔
３４            側面部
３６            傾斜部
３８            折り返し部
６０            メモリカード
【図１】
2008004523.tif 000003
【図２】
2008004523.tif 000004
【図３】
2008004523.tif 000005
【図４】
2008004523.tif 000006
【図５】
2008004523.tif 000007
【図６】
2008004523.tif 000008
【図７】
2008004523.tif 000009